(57)【特許請求の範囲】
【請求項１】
複数の雌端子をそれぞれ収容するとともに前記雌端子の幅方向に並んだ複数の端子収容部と、前記各端子収容部に収容された前記各雌端子の抜け止めをそれぞれ行う複数の係止アームと、前記複数の端子収容部に連通するとともにこれら端子収容部と反対側に開口部が形成されたバスバ収容部と、が設けられたハウジングと、
前記バスバ収容部に収容された本体部と、該本体部からそれぞれ延設され、前記各端子収容部に位置付けられて前記各雌端子と電気接続する複数の雄端子部と、が設けられたバスバと、
を備えたジョイントコネクタにおいて、
前記本体部に、前記係止アームの前記雌端子への係止を解除する係止解除治具を正規位置に案内するためのリブが、前記複数の端子収容部の配列ピッチと等しいピッチで複数設けられ、
前記係止解除治具が、前記リブ間に位置付けられ、前記開口部から前記バスバ収容部及び前記端子収容部に挿入されることで正規位置に位置決めされる（ただし、前記リブだけでなく前記ハウジング内に設けられたガイドによっても前記正規位置に案内されることを除く。）
ことを特徴とするジョイントコネクタ。
【請求項２】
前記係止解除治具が、前記リブに接触した状態で前記バスバ収容部及び前記端子収容部に挿入される
ことを特徴とする請求項１に記載のジョイントコネクタ。
【請求項３】
前記リブに、前記係止解除治具と接触するテーパ面が設けられている
ことを特徴とする請求項１又は請求項２に記載のジョイントコネクタ。
【請求項４】
前記リブに、前記係止解除治具と接触する階段状の段差面が設けられている
ことを特徴とする請求項１又は請求項２に記載のジョイントコネクタ。
【発明の詳細な説明】
【技術分野】
【０００１】
本発明は、複数の雌端子同士を互いに電気接続するジョイントコネクタに関するものである。
【背景技術】
【０００２】
図１０は、従来のコネクタを示す斜視図である。このコネクタ３０１は、複数の端子収容部３２１が設けられたハウジング３０２と、前記端子収容部３２１に収容される複数の雌端子と、を備えている。また、各端子収容部３２１には、前記雌端子の抜け止めを行う係止アームが設けられている。
【０００３】
上記コネクタ３０１を分解する際、即ち雌端子をハウジング３０２から離脱させる際は、端子収容部３２１の内外に連通した治具挿入孔３２２から当該治具挿入孔３２２の内面に沿って端子収容部３２１内に専用の治具を挿入し、この治具で係止アームを突くことによりこの係止アームの雌端子への係止を解除して、端子収容部３２１に収容された雌端子をハウジング３０２外に引き抜く（特許文献１を参照。）。
【０００４】
図１１は、従来のジョイントコネクタを示す断面図である。このジョイントコネクタ４０１は、複数の電線６の端末にそれぞれ取り付けられた複数の雌端子５同士を互いに電気接続するものである。このジョイントコネクタ４０１は、ハウジング４０２と、バスバ４０４と、を備えている。
【０００５】
上記ハウジング４０２には、複数の雌端子５をそれぞれ収容するとともに雌端子５の幅方向に並んだ複数の端子収容部２１と、各端子収容部２１に収容された各雌端子５の抜け止めをそれぞれ行う複数の係止アームと、複数の端子収容部２１に連通するとともにこれら端子収容部２１と反対側に開口部２３ａが形成されたバスバ収容部２３と、が設けられている。
【０００６】
上記バスバ４０４には、バスバ収容部２３に収容された本体部４１と、本体部４１からそれぞれ延設され、各端子収容部２１に位置付けられて各雌端子５と電気接続する複数の雄端子部４３と、本体部４１に連なり、ハウジング４０２外に位置付けられた機器接続部４４と、が設けられている。また、このバスバ４０４は、開口部２３ａからバスバ収容部２３及び端子収容部２１に挿入される。また、雌端子５は、開口部２３ａと反対側から端子収容部２１に挿入される。
【０００７】
上記ジョイントコネクタ４０１を分解する際、即ち雌端子５をハウジング４０２から離脱させる際は、棒状の治具を開口部２３ａからバスバ収容部２３及び端子収容部２１に挿入し、この治具の先端で係止アームを突くことによりこの係止アームの雌端子５への係止を解除して、端子収容部２１に収容された雌端子５をハウジング４０２外に引き抜く。
【先行技術文献】
【特許文献】
【０００８】
【特許文献１】特開２００１−１３５４４９号公報
【発明の概要】
【発明が解決しようとする課題】
【０００９】
しかしながら、上述した従来のジョイントコネクタ４０１においては、以下に示す問題があった。
【００１０】
即ち、上述したコネクタ３０１においては、雌端子をハウジング３０２から離脱させる際に、係止アームの雌端子への係止を解除する治具を、治具挿入孔３２２から当該治具挿入孔３２２の内面に沿って端子収容部３２１内に挿入することができるので、治具挿入孔３２２の内面をある程度治具挿入のガイドとすることができるが、上述したジョイントコネクタ４０１においては、バスバ４０４が開口部２３ａからバスバ収容部２３及び端子収容部２１に挿入される構成であることから、係止アームの雌端子５への係止を解除する治具をガイドする部分（治具挿入孔３２２に相当する部分）をハウジング４０２に設けることができず、そのために、雌端子５をハウジング４０２から離脱させる際に、端子収容部２１における正規位置に治具を正確に挿入することが困難であるという問題があった。
【００１１】
したがって、本発明は、雌端子をハウジングから容易に離脱させることができるジョイントコネクタを提供することを目的とする。
【課題を解決するための手段】
【００１２】
上記目的を達成するために請求項１に記載された発明は、複数の雌端子をそれぞれ収容するとともに前記雌端子の幅方向に並んだ複数の端子収容部と、前記各端子収容部に収容された前記各雌端子の抜け止めをそれぞれ行う複数の係止アームと、前記複数の端子収容部に連通するとともにこれら端子収容部と反対側に開口部が形成されたバスバ収容部と、が設けられたハウジングと、前記バスバ収容部に収容された本体部と、該本体部からそれぞれ延設され、前記各端子収容部に位置付けられて前記各雌端子と電気接続する複数の雄端子部と、が設けられたバスバと、を備えたジョイントコネクタにおいて、前記本体部に、前記係止アームの前記雌端子への係止を解除する係止解除治具を正規位置に案内するためのリブが、前記複数の端子収容部の配列ピッチと等しいピッチで複数設けられ、前記係止解除治具が、前記リブ間に位置付けられ、前記開口部から前記バスバ収容部及び前記端子収容部に挿入されることで正規位置に位置決めされる（ただし、前記リブだけでなく前記ハウジング内に設けられたガイドによっても前記正規位置に案内されることを除く。）ことを特徴とするジョイントコネクタである。
請求項２に記載された発明は、請求項１に記載された発明において、前記係止解除治具が、前記リブに接触した状態で前記バスバ収容部及び前記端子収容部に挿入されることを特徴とするものである。
【００１３】
請求項３に記載された発明は、請求項１又は請求項２に記載された発明において、前記リブに、前記係止解除治具と接触するテーパ面が設けられていることを特徴とするものである。
【００１４】
請求項４に記載された発明は、請求項１又は請求項２に記載された発明において、前記リブに、前記係止解除治具と接触する階段状の段差面が設けられていることを特徴とするものである。
【発明の効果】
【００１５】
請求項１に記載された発明によれば、前記本体部に、前記係止アームの前記雌端子への係止を解除する係止解除治具を正規位置に案内するためのリブが、前記複数の端子収容部の配列ピッチと等しいピッチで複数設けられ、前記係止解除治具が、前記リブ間に位置付けられ、前記開口部から前記バスバ収容部及び前記端子収容部に挿入されることで正規位置に位置決めされるので、前記雌端子をハウジングから容易に離脱させることができる。また、前記リブを設けることにより、バスバの強度向上を図ることができる。
【００１６】
請求項３に記載された発明によれば、前記リブに、前記係止解除治具と接触するテーパ面が設けられているので、前記係止解除治具の挿入位置をより正確に規定することができる。
【００１７】
請求項４に記載された発明によれば、前記リブに、前記係止解除治具と接触する階段状の段差面が設けられているので、前記係止解除治具の挿入位置をより正確に規定することができる。
【図面の簡単な説明】
【００１８】
【図１】本発明の第１の実施形態にかかるジョイントコネクタを示す斜視図である。
【図２】図１に示されたジョイントコネクタの分解図である。
【図３】図１中のＡ−Ａ線に沿った断面図である。
【図４】図１中のＢ−Ｂ線に沿った断面図である。
【図５】図１に示されたジョイントコネクタの平面図である。
【図６】図３に示された係止アームの雌端子への係止が、係止解除治具により解除される様子を示す断面図である。
【図７】図６に示されたジョイントコネクタ及び係止解除治具の平面図である。
【図８】本発明の他の実施形態にかかるジョイントコネクタの断面図である。
【図９】本発明の第２の実施形態にかかるジョイントコネクタ及び係止解除治具の平面図である。
【図１０】従来のコネクタを示す斜視図である。
【図１１】従来のジョイントコネクタを示す断面図である。
【発明を実施するための形態】
【００１９】
（第１の実施形態）
本発明の第１の実施形態にかかるジョイントコネクタを図１〜図８を参照して説明する。
【００２０】
図１及び図２に示す本発明のジョイントコネクタ１は、複数の電線６の端末にそれぞれ取り付けられた複数の雌端子５同士を互いに電気接続するものである。このジョイントコネクタ１は、合成樹脂製のハウジング２と、このハウジング２に取り付けられる合成樹脂製のスペーサ３と、金属板にプレス加工等が施されることにより得られるバスバ４と、を備えている。
【００２１】
上記ハウジング２には、図３及び図４に示すように、複数の雌端子５をそれぞれ収容するとともに雌端子５の幅方向に並んだ複数の端子収容部２１と、各端子収容部２１に収容された各雌端子５の抜け止めをそれぞれ行う複数の係止アーム２２と、複数の端子収容部２１に連通するとともにこれら端子収容部２１と反対側に開口部２３ａが形成されたバスバ収容部２３と、スペーサ３が挿入される挿入孔２５と、が設けられている。
【００２２】
また、ハウジング２には、雌端子５の幅方向に並んだ複数の端子収容部２１が上下２段に亘って設けられている。また、ハウジング２には、上段の複数の端子収容部２１に連通したバスバ収容部２３と、下段の複数の端子収容部２１に連通したバスバ収容部２３と、が上下２段に亘って設けられている。また、図１中の符号２４は、上段のバスバ収容部２３と下段のバスバ収容部２３とを仕切った仕切り壁である。
【００２３】
上記スペーサ３には、上述した下段の複数の端子収容部２１にそれぞれ収容される雌端子５を押さえる押さえ部３１と、上段の複数の端子収容部２１にそれぞれ収容される雌端子５が通される通し孔３２と、が設けられている。
【００２４】
上記バスバ４には、上述した上段のバスバ収容部２３に収容された本体部４１ａと、下段のバスバ収容部２３に収容された本体部４１ｂと、これら本体部４１ａと本体部４１ｂとを繋いだ連結部４２と、各本体部４１ａ，４１ｂからそれぞれ延設され、各端子収容部２１に位置付けられて各雌端子５と電気接続する複数の雄端子部４３と、本体部４１ｂに連なり、ハウジング２外に位置付けられた機器接続部４４と、が設けられている。前記複数の雄端子部４３は、長細い板状に形成されており、互いに間隔をあけて並列に並べられている。前記機器接続部４４は、本ジョイントコネクタ１が取り付けられる機器に電気接続される。
【００２５】
上記雌端子５は、金属板にプレス加工等が施されることにより得られる端子である。この雌端子５には、電線６の被覆部をかしめる被覆部かしめ片５１と、電線６の芯線をかしめる芯線かしめ片５２と、雄端子部４３を内側に位置付ける角筒状の筒部５３と、当該筒部５３内に位置付けられた雄端子部４３を筒部５３の内面側に付勢する付勢ばね５５と、筒部５３に形成され、係止アーム２２が引っ掛かる、即ち係止する、係止孔５４と、が設けられている。
【００２６】
上記構成のジョイントコネクタ１は、最初にハウジング２にバスバ４が挿入され、次に下段の端子収容部２１に雌端子５が挿入され、次に挿入孔２５にスペーサ３が挿入され、最後に上段の端子収容部２１に雌端子５が挿入されることにより、図１の状態に組み立てられる。また、この際、バスバ４は、開口部２３ａからバスバ収容部２３及び端子収容部２１に挿入される。また、この際、雌端子５は、開口部２３ａと反対側から端子収容部２１に挿入される。
【００２７】
また、上述した順序で組立てられたジョイントコネクタ１を分解する際は、まず、図６等に示す係止解除治具８を開口部２３ａから上段のバスバ収容部２３及び端子収容部２１に挿入し、係止解除治具８の先端で係止アーム２２を突くことによりこの係止アーム２２の雌端子５への係止を解除して、上段の端子収容部２１に収容された雌端子５をハウジング２外に引き抜く。次にスペーサ３を挿入孔２５から離脱させる。次に、図６に示すように、前記係止解除治具８を開口部２３ａから下段のバスバ収容部２３及び端子収容部２１に挿入し、係止解除治具８の先端で係止アーム２２を突くことによりこの係止アーム２２の雌端子５への係止を解除して、下段の端子収容部２１に収容された雌端子５をハウジング２外に引き抜く。そして、最後にバスバ４をハウジング２から引き抜く。
【００２８】
また、上記係止解除治具８は、断面が矩形の棒状に形成され、先端が先細り形状とされたものである。
【００２９】
また、本発明のジョイントコネクタ１は、上述した雌端子５をハウジング２から離脱させる作業を容易にするために、以下に説明するリブ７をバスバ４の本体部４１ｂに設けている。即ち、本発明では、係止解除治具８を下段の端子収容部２１における正規位置に案内するためのリブ７が本体部４１ｂに複数設けられている。また、これら複数のリブ７は、図４及び図５に示すように、複数の端子収容部２１の配列ピッチと等しいピッチで設けられている。また、これら複数のリブ７は、本体部４１ｂから機器接続部４４にまで延長されている。
【００３０】
さらに、各リブ７の両側面には、図７に示すように、係止解除治具８の角と接触するテーパ面７１が設けられている。また、互いに隣り合うリブ７間の溝の底部幅は、係止解除治具８の幅よりも多少狭くなっている。このことから、係止解除治具８は、リブ７間の溝の底部との間にクリアランスを生じた状態で下段のバスバ収容部２３及び端子収容部２１に挿入される。
【００３１】
本発明では、このようなリブ７がバスバ４に設けられているので、係止解除治具８は、リブ７間に位置付けられ、開口部２３ａから下段のバスバ収容部２３及び端子収容部２１に挿入されることで正規位置に位置決めされる。よって、下段の端子収容部２１に収容された雌端子５を容易にハウジング２から離脱させることができる。さらに、このようなリブ７が設けられたバスバ４は、リブ７が設けられていないものと比較して強度的にも優れている。
【００３２】
また、本発明では、必ずしも上述したテーパ面７１をリブ７に設けなくても良いが、図８に示すように、リブ２０７にテーパ面７１が設けられていないバスバ２０４を備えたジョイントコネクタ２０１においては、係止解除治具８の先端が雌端子５の筒部５３の端面に衝突する可能性がある。このことから、本発明では、ハウジング２及び雌端子５の形状に応じて上述したテーパ面７１をリブ７，２０７に設けることが好ましい。即ち、本発明では、テーパ面７１を設けることにより、ハウジング２の高さ方向における係止解除治具８の挿入位置を規定することができる。
【００３３】
また、本実施形態のジョイントコネクタ１においては、上段のバスバ収容部２３に収容される本体部４１ａ、及び、下段のバスバ収容部２３に収容される本体部４１ｂの両端にリブ７が設けられていないが、必要に応じてこれらの箇所にリブ７を設けて良いことは勿論である。
【００３４】
（第２の実施形態）
本発明の第２の実施形態にかかるジョイントコネクタを図９を参照して説明する。また、図９において、前述した第１の実施形態と同一構成部分には同一符号を付して説明を省略する。
【００３５】
図９に示す本発明のジョイントコネクタ１０１は、前述したリブ７の代わりにリブ１０７が設けられたバスバ１０４を備えており、このバスバ１０４以外は前述したジョイントコネクタ１と同一の構成である。
【００３６】
上記リブ１０７の両側面には、前述したテーパ面７１の代わりに、係止解除治具８の角に沿う階段状の段差面１７１が設けられている。また、互いに隣り合うリブ１０７間の溝の底部幅は、係止解除治具８の幅よりも多少狭くなっている。このことから、係止解除治具８は、リブ１０７間の溝の底部との間にクリアランスを生じた状態で下段のバスバ収容部２３及び端子収容部２１に挿入される。
【００３７】
また、上記段差面１７１が設けられたリブ１０７は、前述したテーパ面７１が設けられたリブ７よりもさらに正確に係止解除治具８を正規位置に案内することができる。
【００３８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３９】
１，１０１，２０１  ジョイントコネクタ
２  ハウジング
４，１０４，２０４  バスバ
５  雌端子
７，１０７，２０７  リブ
８  係止解除治具
２１  端子収容部
２２  係止アーム
２３  バスバ収容部
２３ａ  開口部
４１ｂ  本体部
４３  雄端子部
【図１】
0005642504.tif 000002
【図２】
0005642504.tif 000003
【図３】
0005642504.tif 000004
【図４】
0005642504.tif 000005
【図５】
0005642504.tif 000006
【図６】
0005642504.tif 000007
【図７】
0005642504.tif 000008
【図８】
0005642504.tif 000009
【図９】
0005642504.tif 000010
【図１０】
0005642504.tif 000011
【図１１】
0005642504.tif 000012